(57)【特許請求の範囲】
【請求項１】
吸収液及び冷媒を循環して被熱操作流体を冷却または加温する複数の吸収式冷凍機を一群として、各前記吸収式冷凍機からの前記被熱操作流体を共通の管路を介して所要の熱操作対象負荷に供給するとともに、前記冷却のための冷却運転と前記加温のための加温運転との選択を各前記吸収式冷凍機とは別体にして設けた１つの遠隔制御操作器によって統括的に行う構成をもつ吸収式冷凍機群装置であって、
前記一群の吸収式冷凍機のうちの所要の前記吸収式冷凍機の運転モードを、他の前記吸収式冷凍機の運転モードの設定状態とは無関係に、冷却運転モードまたは加温運転モードのいずれかになるように設定するための設定機能と、
前記冷却運転モードに設定された前記吸収式冷凍機のみを選択して運転する運転動作と、前記加温運転モードに設定された前記吸収式冷凍機のみを選択して運転する運転動作とのうちのいずれかを選択して、前記被熱操作流体の供給を行うように設定するための設定機能とを前記遠隔制御器に設けたことを特徴とする吸収式冷凍機群装置。
【請求項２】
吸収液及び冷媒を循環して被熱操作流体を冷却または加温する複数の吸収式冷凍機を一群として、各前記吸収式冷凍機からの前記被熱操作流体を共通の管路を介して所要の熱操作対象負荷に供給するとともに、前記冷却のための冷却運転と前記加温のための加温運転との選択を各前記吸収式冷凍機とは別体にして設けた１つの遠隔制御操作器によって統括的に行う構成と、前記選択を各前記吸収式冷凍機自体に設けた各個別制御操作器によって個別に行う構成とをもつ吸収式冷凍機群装置であって、
前記一群の吸収式冷凍機のうちの所要の前記吸収式冷凍機の運転モードを、他の前記吸収式冷凍機の運転モードの設定状態とは無関係に、冷却運転モードまたは加温運転モードのいずれかになるように設定するための設定機能と、
前記冷却運転モードに設定された前記吸収式冷凍機のみを選択して運転する運転動作と、前記加温運転モードに設定された前記吸収式冷凍機のみを選択して運転する運転動作とのうちのいずれかを選択して、前記被熱操作流体の供給を行うように設定するための設定機能とを前記遠隔制御器に設けたことを特徴とする吸収式冷凍機群装置。
【請求項３】
前記運転モードの設定によって設定された各前記吸収式冷凍機の前記冷却運転モードと前記加温モードとの設定状態を表示するための表示機能と、前記選択により設定された供給状態を表示するための表示機能とを前記遠隔制御器に設けたことを特徴とする請求項１または請求項２記載の吸収式冷凍機群装置。
【発明の詳細な説明】
【０００１】
【発明の属する技術分野】
この発明は、吸収液を熱操作流体とする熱交換によって所要の被熱操作流体を冷却または加温して所要の熱操作対象負荷に供給する吸収式冷凍機の複数を配置するとともに、各吸収式冷凍機からの被熱操作流体を共通の管路を介して、熱操作対象負荷に供給する構成をもつ装置（この発明において、吸収式冷凍機群装置という）関するものである。
【０００２】
【従来の技術】
吸収式冷凍機としては、例えば、吸収剤を臭化リチウム、冷媒を水として混合した臭化リチウム水溶液などの吸収液を熱操作流体として用いた吸収冷温水機が周知であり、図６の吸収式冷凍機１００のような構成（以下、第１従来技術という）のものが周知であり、冷却または加温を行う熱操作対象負荷としては、冷暖房用空調装置または商品保存用恒温装置などがある。
【０００３】
図６において、太い実線部分は冷媒液・吸収液・冷却用水などの液体管路、二重線部分は冷媒蒸気の蒸気管路であり、まず、吸収液の循環系を、吸収器１の底部に溜っている低濃度の吸収液、つまり、稀液２ａを起点として説明する。
【０００４】
稀液２ａは、ポンプＰ１により、管路３を経て、高温再生器５に入る。高温再生器５は、下方からバーナーなどの加熱器６で加熱しているので、稀液２ａ中に含まれている冷媒が蒸発して、高温になった中濃度の吸収液、つまり、中間液２ｂと、冷媒蒸気７ａとに分離する。
【０００５】
高温の中間液２ｂは、管路８を経て、高温側の熱交換器９に入る。熱交換器９で、高温の中間液２ｂは、管路３を通る稀液２ａに熱を与えて放熱し、温度が低下した後、管路１０を経て、低温再生器１１に入る。
【０００６】
低温再生器１１では、管路２１を経て、中間液２ｂを加熱する低温再生器１１内の放熱管１１Ａに冷媒蒸気７ａを送り込んで加熱しているので、中間液２ｂの中に含まれている冷媒が蒸発して、高温になった高濃度の吸収液、つまり、濃液２ｃと、冷媒蒸気７ｂとに分離する。
【０００７】
高温の濃液２ｃは、管路１２を経て、低温側の熱交換器１３に入る。熱交換器１３で、高温の濃液２ｃは、管路３を通る稀液２ａに熱を与えて放熱し、中温になった後、管路１４を経て、吸収器１内の散布器１Ａに入り、散布器１Ａの多数の穴から散布する。
【０００８】
散布した濃液２ｃは、吸収器１内の冷却管１Ｂを流通する冷却用水３２ａによって冷却する。濃液２ｃは、冷却管１Ｂの外側を流下する際に、隣接する蒸発器２６から入ってくる冷媒蒸気７ｃを吸収して稀薄化し、低温の稀液２ａに戻り、吸収液の一巡が終えるという吸収液循環を繰り返すものである。
【０００９】
次に、冷媒の循環系を、吸収器１に入った冷媒蒸気７Ｃを起点にして説明する。冷媒蒸気７ｃは、上記の吸収液循環系で説明したように、吸収器１内の散布器１Ａから分散した濃液２ｃに吸収されて、稀液２ａの中に入り、高温再生器５で冷媒蒸気７ａになる。
【００１０】
冷媒蒸気７ａは、管路２１を経て、低温再生器１１の放熱管１１Ａに入り、中間液２ｂに熱を与えて放熱し、凝縮して冷媒液２４ａになった後、管路２２を経て、凝縮器２３の底部に入る。
【００１１】
凝縮器２３は、隣接する低温再生器１１との間の多数の通路１１Ｂを経て入ってくる冷媒蒸気７ｂを、凝縮器２３内の冷却管２３Ａを通る冷却用水３２ａで冷却し、冷媒蒸気７ｂを凝縮して低温の冷媒液２４ａにする。冷媒液２４ａは、管路２５を経て、蒸発器２６に入り、蒸発器２６の低部に溜まって冷媒液２４ｂになる。
【００１２】
ポンプＰ２は、冷媒液２４ｂを、管路２８を経て、散布器２６Ａに送り、散布器２６Ａの多数の穴から散布することを繰り返す。散布した冷媒液２４ｂは、蒸発器２６内の熱交換管２６Ｂを通る被熱操作流体、つまり、冷／温戻水３５ａを冷却する。この冷却の際に、冷媒液２４ｂは、冷／温戻水３５ａから熱を吸収して蒸発し、冷媒蒸気７ｃになった後、隣接する吸収器１との間の多数の通路２６Ｃを経て、吸収器１に戻り、冷媒の一巡が終えるという冷媒循環を繰り返すものである。
【００１３】
以上のように、高温再生器５と低温再生器１１との二重の再生動作によって、吸収液と冷媒、つまり、熱操作流体を循環しながら蒸発器２６内の熱交換管２６Ｂ、つまり、熱交換用配管によって、管路３６から与えられる被熱操作流体、つまり、冷／温戻水３５ａを冷却し、管路３７から冷水３５ｂを室内冷房機器などの冷却対象機器（図示せず）に冷却用被熱操作流体として与える運転を、二重効用の冷却運転と言い、主として、冷房用に用いているため、冷房運転とも言っている。
【００１４】
これに対して、高温再生器５で蒸発した冷媒蒸気７ａと高温熱交換器９に入れるべき高温の中間液２ｂを、側路して蒸発器２６あるいは吸収器１に与える管路４１に設けた開閉弁Ｖ１を開いて、直接、蒸発器２６あるいは吸収器１に戻すとともに、散布器２６Ａより散布すべき冷媒液２４ｂを、管路２８と管路３との間を側路する管路４３に設けた開閉弁Ｖ２を開いて冷媒液２４ｂを吸収液２ａに混入するようにし、低温再生器１１を用いずに、高温再生器５のみの運転によって、吸収液循環と冷媒循環とを行いながら蒸発器２６内の熱交換管２６Ｂ、つまり、熱交換用配管によって、管路３６から与えられる被熱操作流体、つまり、冷／温戻水３５ａを加温し、管路３７から温水３５ｂを室内暖房機器などの加温対象機器（図示せず）に加温用被熱操作流体として与える運転を、加温運転（ボイラー運転）と言い、主として、暖房用に用いているため、暖房運転とも言っている。また、この暖房運転時には、吸収器１と凝縮器２３との冷却は不要なので、管路３１からの冷却用水３２ａの送水を停止している。
【００１５】
放熱装置５０は、貯留槽５９の貯留水５９Ａを管路３１から冷却用水３２ａとして与え、冷却管１Ｂと冷却管２３Ａとを冷却して、管路３４に冷却戻水３２ｂとして流出する冷却用水を、放熱冷却部５１により放熱冷却することにより冷却用水として再生する部分であって、一般に、冷却塔とも言われている部分であり、冷却運転時にのみ冷却動作する。
【００１６】
放熱冷却部５１は、送風機５２・散布器５３・冷却層５４などによって形成してあり、冷却運転時にのみ、ポンプＰ３を運転し、冷却戻水３２ｂを散布器５３から散布して冷却層５４に流し込みながら、送風機５２によって、外気を空気吸込口５５Ａから冷却層５４の内部の層間を通した後、空気排出口５５Ｂに送出するように通風することにより、散布した冷却戻水３２ｂを放熱冷却する。
【００１７】
冷却層５４には、多数の蛇行路が形成してあり、冷却戻水３２ｂが蛇行路を流下する際に、送風機５２からの送風を受けて放熱冷却するように構成されているものである。
【００１８】
加温運転時には、ポンプＰ３を停止し、冷却用水の流通を停止する。散布器５３に残っている水は散布器５３から散布されて無くなる。逆止弁６８は、貯留槽５９が吸収式冷凍機１００の位置より低い所にある場合に吸収式冷凍機１００内の冷却用水の水抜けを防止する。小型・中型の吸収式冷凍機の場合には、一般に、貯留槽５９を吸収式冷凍機１００の位置より低い所に設けて構成している。
【００１９】
貯留水５９Ａが所定量以上になったときは、溢水受６２から管路６３・６４を経て排水６５として排出し、貯留水５９Ａが所定量以下になったときは、貯留水５９Ａの水面に浮かぶ浮子により浮子弁５８が開いて水道水５７を給水することにより、貯留水５９Ａを所定量に維持している。
【００２０】
管路６１・溢水受６２・管路６３は冷却用水の一部を強制的に排水するブロー経路であり、冷却用水中の消毒用塩素や管路で生じた水垢などが、放熱装置５０内で過度の濃縮を起こさぬように、この経路の開閉弁（図示せず）を開いて冷却用水の一部を排出し、浮子弁５８から新たな水道水５７を取り入れる。
【００２１】
制御部８０は、吸収式冷凍機１００における以上の動作を制御処理する制御部分であり、上記のように、開閉弁Ｖ１・Ｖ２の開閉とポンプＰ１・Ｐ２・Ｐ３の運転・停止とを制御することにより、冷却運転と加温運転とに切換運転するとともに、各運転中において、冷却対象機器または加温対象機器に与える冷／温水３５ｂの所定の温度に維持するために、設定操作器（図示せず）などから与える所要の各操作信号と、冷／温戻水３５ａと冷／温水３５ｂとの温度を検出する温度検出器Ｓ１・Ｓ２、冷却用水３２ａと冷却戻水３２ｂとの温度を検出する温度検出器Ｓ３・Ｓ４などから与える各検出信号とにもとづいて、加熱器６の加熱量を調節する加熱調整器６Ａあるいは送風機５２などを制御することにより、定常の温度制御運転を行うように構成してある。このため、各制御対象となる機器部分は電動型のもので構成してある。
【００２２】
開閉弁Ｖ６は、貯留槽５９内の底部に沈澱物が生じた場合、または、生することを未然に防止するなどの目的で、貯留水５９Ａを全部排出して入れ換える作業などに用いるもので、開閉弁Ｖ６を開いて、貯留水５９を管路６４から排水６５として放出する。
【００２３】
上記の第１従来技術のような吸収式冷凍機１００では、加温運転から冷却運転に切り換える場合には、冷却管１Ｂおよび冷却管２３Ａに残っている冷却用水が加温運転時に６０〜７０°Ｃ程度の高温になっている。
【００２４】
一方、冷却用水３２ａの冷却戻水３２ｂを冷却するための放熱装置５０は、一般に、風通しのよい屋上などの高所に設置するため、なるべく軽量に作る必要があり、合成樹脂材、例えば、塩化ビニール樹脂材を主体に形成してあるため、上記のような高温の水が送り込まれると各部が変形し、特に冷却層５４は直ちに変形するという故障が生ずる。
【００２５】
このため、加温運転から冷却運転に切り換える運転切換時に、冷却管１Ｂおよび冷却管２３Ａに保有している冷却用水３２ａに近い箇所の冷却用水３２ａの温度を測定し、当該箇所の冷却用水の温度が所定値以下に低下したことを確認した後に、ポンプＰ３を運転して冷却用水３２ａを放熱装置５０に循環するようにした構成（以下、第２従来技術という）が特開平５−３３２６３４などにより開示されている。
【００２６】
工場などの広い室内または高層ビルなどの多数の室内を冷暖房するための冷暖房空調装置や多量の商品を恒温保存する保存倉庫内を恒温にする商品恒温保存装置では、上記のような吸収式冷凍機１００を複数基並べて配置するとともに、冷／温水３５ａと冷／温水３５ｂとが流通する各管路３６と各管路３７とを接続した共通の管路によって、熱操作負荷となる室内の冷暖房機器や保存倉庫内の恒温機器などに、被熱操作流体、つまり、冷／温水３５ａを供給するようにした構成し、複数基の吸収式冷凍機１００に対して共通に設けた１つの遠隔制御操作器によって、各吸収式冷凍機の加温運転と冷却運転との選択と運転とを統括して総合的に制御処理する構成をもつ吸収式冷凍機群装置（以下、第３従来技術という）が周知であり、上記の遠隔制御操作器は、一般に、リモコンと呼ばれている。
【００２７】
また、こうした吸収式冷凍機群装置は、一般に、建築物の屋上などに配置されるので、配置場所と吸収式冷凍機１００の能力との関係上、複数基の吸収式冷凍機１００に対する冷却水３５ａを１つの放熱装置５０によって放熱冷却するように組み合わせて構成している。
【００２８】
【発明が解決しようとする課題】
上記の第３従来技術による吸収式冷凍機群装置の構成では、その日の天候や気温により、熱操作負荷の状態を予め予測して、操作員が総合制御器各吸収式冷凍機５００の運転状態を、冷却運転にするか、加温運転にするかの選択を上記の総合制御操作器を操作して行っているが、初夏や初冬などの季節では、こうした選択操作を頻繁に行わなければならず、この選択操作は、その都度の各吸収式冷凍機５００の運転状態を考慮しながら選択操作する必要があり、選択操作の作業がきわめて繁雑である。
【００２９】
また、加温運転状態になっている各吸収式冷凍機５００を冷却運転に切り換えるように選択した場合には、上記の第２従来技術のように、放熱装置５０を破損させないために、加温された状態の冷却用水３２ａが所要の温度に低下するまで待った後でないと冷却運転できないので、被熱操作流体、つまり、冷温水３５ｂが目的の温度になるまでに相当長い時間遅れが生じて、苦情が出たり、商品の質を悪化させてしまうなどの不都合が生ずるので、操作員としては、選択操作が気重にならざるを得ない。
【００３０】
こうした事情をふまえて、上記のような選択操作が気軽にでき、各吸収式冷凍機５００に対する冷却運転と加温運転との選択が誤りなく、かつ、切り換えが短時間で行えるようにした吸収式冷凍機群装置が提供されれば至極便利であり、こうした吸収式冷凍機群装置をどのように構成して提供すればよいかという課題がある。
【００３１】
【課題を解決するための手段】
この発明は、上記のような
吸収液及び冷媒を循環して被熱操作流体を冷却または加温する複数の吸収式冷凍機を一群として、各上記の吸収式冷凍機からの上記の被熱操作流体を共通の管路を介して所要の熱操作対象負荷に供給するとともに、上記の冷却のための冷却運転と上記の加温のための加温運転との選択を各上記の吸収式冷凍機とは別体にして設けた１つの遠隔制御操作器によって統括的に行う構成をもつ吸収式冷凍機群装置において、
【００３２】
上記の一群の吸収式冷凍機のうちの所要の上記の吸収式冷凍機の運転モードを、他の上記の吸収式冷凍機の運転モードの設定状態とは無関係に、冷却運転モードまたは加温運転モードのいずれかになるように設定するための設定機能と、
上記の冷却運転モードに設定された上記の吸収式冷凍機のみを選択して運転する運転動作と、上記の加温運転モードに設定された上記の吸収式冷凍機のみを選択して運転する運転動作とのうちのいずれかを選択して、上記の被熱操作流体の供給を行うように設定するための設定機能とを上記の遠隔制御器に設けた第１の構成と、
【００３３】
この第１の構成における吸収式冷凍機群装置に、さらに、上記の選択を各上記の吸収式冷凍機自体に設けた各個別制御操作器によって個別に行う構成を付加した吸収式冷凍機群装置において、
【００３４】
上記の一群の吸収式冷凍機のうちの所要の上記の吸収式冷凍機の運転モードを、他の上記の吸収式冷凍機の運転モードの設定状態とは無関係に、冷却運転モードまたは加温運転モードのいずれかになるように設定するための設定機能と、
上記の冷却運転モードに設定された上記の吸収式冷凍機のみを選択して運転する運転動作と、上記の加温運転モードに設定された上記の吸収式冷凍機のみを選択して運転する運転動作とのうちのいずれかを選択して、上記の被熱操作流体の供給を行うように設定するための設定機能とを上記の遠隔制御器に設けた第２の構成と、
【００３５】
上記の第１の構成、または、上記の第２の構成に加えて、
上記の運転モードの設定によって設定された各上記の吸収式冷凍機の上記の冷却運転モードと上記の加温モードとの設定状態を表示するための表示機能と、上記の選択により設定された供給状態を表示するための表示機能とを上記の遠隔制御器に設けた第３の構成とによる装置を提供することにより、上記の課題を解決し得るようにしたものである。
【００３６】
【実施例】
以下、実施例を図１〜図４により説明する。これらの図において、図６の符号と同一符号の部分は、図６の同一符号の部分と同一の機能をもつ部分であり、また、図１〜図４における同一符号の部分は、図１〜図４のいずれかにおいて説明した同一符号の部分と同一の機能をもつ部分である。
【００３７】
図１において、吸収式冷凍機群装置５００は、例えば、複数の吸収式冷凍機１００（ＮＯ．１〜ＮＯ．ｎ）に対して１つの放熱装置５０を組み合わせた構成のもので、吸収式冷凍機１００の要部と放熱装置５０とを簡単なブロック状に簡略化して示してあり、管路３１により冷却水３２ａを各吸収式冷凍機１００に循環するために設けるポンプＰ３と、冷却戻水３２ｂの管路３４の経路に設ける逆止弁６８とを各吸収式冷凍機１００ごとに配置して構成してある。
【００３８】
また、各吸収式冷凍機（ＮＯ．１〜ＮＯ．ｎ）１００の冷／温水３５ｂと冷／温戻水３５ａ、つまり、被熱操作流体の各管路３６・３７は、共通の管路３６Ａ・３７Ｂを介して、複数の熱操作対象負荷４００、例えば、空調用の室内機に接続してある。
【００３９】
そして、各吸収式冷凍機１００（ＮＯ．１〜ＮＯ．ｎ）とは別体にして設けた１つの遠隔制御操作器２００は、各吸収式冷凍機（ＮＯ．１〜ＮＯ．ｎ）１００と通信路３００を介して相互に制御処理に関係する通信信号を送受することにより、目的とする制御を行うように構成してあり、通信路３００は、例えば、同軸ケーブル、または、２心捩電線、つまり、ツイストペアケーブルであって、実質的には、各吸収式冷凍機１００（ＮＯ．１〜ＮＯ．ｎ）の各制御部８０と、遠隔制御操作器２００の制御部８０との間で通信信号を送受するものである。
【００４０】
各吸収式冷凍機（ＮＯ．１〜ＮＯ．ｎ）１００の各制御部８０と、遠隔制御操作器２００の制御部８０とは、具体的には、例えば、図２・図３のように、それぞれ、マイクロコンピュータを主体とする処理制御器、例えば、市販のＣＰＵボード（以下、ＣＰＵＢという）８０Ａにより構成したものである。
【００４１】
図２において、吸収式冷凍機（ＮＯ．１〜ＮＯ．ｎ）１００の各制御部８０を構成するＣＰＵＢ８０Ａは、吸収液、つまり、熱操作流体の熱操作に関連する制御処理について、装置の各部を検出して得られる各検出信号、所要の動作条件など設定する操作器７０から得られる設定操作信号などのデータを、入出力ポート８１から取り込み、作業用ＲＡＭ８３に一時的に記憶しておき、処理用ＲＯＭ５２に記憶した熱操作流体の熱操作に関する制御処理フローのプログラムにもとづいて、所要の処理を行なって得られる各制御信号を入出力ポート８１から所要の制御部分に出力するように動作する。
【００４２】
また、運転種別の選択や運転開始・運転停止などについて、通信路３００を介して得られる遠隔制御操作器２００のＣＰＵＢからの通信信号によるデータを作業用ＲＡＭ８３に一時的に記憶しておき、処理用ＲＯＭ８２に記憶した図５の制御処理フローのプログラムにもとづいて、遠隔制御操作器２００の設定操作状態に対応するように、冷却運転と加温運転とのいずれかを選択して運転するように動作する。
【００４３】
遠隔操作器２００のＣＰＵＢ８０Ａと複数の吸収式冷凍機（ＮＯ．１〜ＮＯ．ｎ）１００の各ＣＰＵＢ８０Ａとの間の通信は、それぞれのＣＰＵＢ８０Ａに設定した固有の識別符号、つまり、通信アドレスを用いて通信することにより、相手方を特定して通信し得るようにしている。そして、こうした通信アドレスや、所要の固定的データを処理用ＲＯＭ８２に記憶し、または、必要に応じて、データ用ＲＯＭ８４を別個に設けて記憶してある。
【００４４】
この他、運転時間を所定の時間どおりに制御するための時計回路８５と、必要に応じて、作業用ＲＡＭ８３に記憶している現在の動作状態や、設定されている動作条件などのデータを表示部７５に表示する。
【００４５】
図３において、遠隔制御操作器２００の制御部８０を構成するＣＰＵＢ８０Ａは、入力操作部２０２を操作して入力された設定データと、通信路３００を介して得られる複数の吸収式冷凍機（ＮＯ．１〜ＮＯ．ｎ）１００の各ＣＰＵＢ８０Ａからの通信信号によるデータを、入出力ポート８１から取り込み、作業用ＲＡＭ８３に一時的に記憶しておき、処理用ＲＯＭ８２に記憶した図５の制御処理フローのプログラムにもとづいて、運転種別の選択や運転開始・運転停止などについて、所要の処理を行なって得られる通信信号を入出力ポート８１から通信路３００に出力するように動作する。
【００４６】
なお、データ用ＲＯＭ８４・表示部２０３・時計回路８５は、上記の図２の構成におけるデータ用ＲＯＭ８４・表示部７５・時計回路８５と同様であるが、図３の構成では、表示部２０３を必ず設けるものである。
【００４７】
また、作業用ＲＡＭ８３の記憶内容は、バックアップ電源、例えば、ニッケルカドミウム２次電池によって、装置の電源をＯＦＦした後も保持しており、また、バックアップ電源は装置の電源がＯＮされている間に充電するようになっている。
【００４８】
そして、図３の入力操作部２０２と表示部２０３との部分は１つの操作パネル状に形成するものであり、具体的には、例えば、図４のような操作パネルにして構成する。
【００４９】
図４において、太線で画いた四角形の部分は各操作キーのキー部分であり、図３の入力操作部２０２に相当する部分であって、キーを押す度に以前の選択されていた状態と異なる他の状態に移行するためのデータ信号を入出力ポート８１に与えるものであり、また、点線で画いた小さい四角形の部分はＬＥＤが配置されているが点灯していない部分、塗り潰した小さい四角形、つまり、■の部分はＬＥＤが点灯していて、点灯している方の状態に置かれていることを表示する部分であって、図３の表示部２０３に相当する部分であって、入出力ポート８１に与えられる信号によって点灯動作するものである。
【００５０】
そして、上方の区画部分は「機番別」設定／運転表示部分２０４であって、吸収式冷凍機（ＮＯ．１〜ＮＯ．ｎ）１００の各機番別に、つまり、ＮＯ．１〜ＮＯ．ｎのそれぞれについて各別個に、「冷却運転モード」、つまり、「冷却運転」を行う態勢にするか、「加温運転モード」、つまり、「加温運転」を行う態勢にするかを設定するため設定切換キー２０４Ａと、設定状態の表示と、運転状態の表示を行うＬＥＤ表示部分２０４Ｂとが配置してある。
【００５１】
なお、後記のように、電源キー２０８Ａを操作して、電源をＯＮした場合には、吸収式冷凍機（ＮＯ．１〜ＮＯ．ｎ）１００の各ＣＰＵＢに設定されている「設定状態」と「運転状態」とを優先して表示するように構成してある。
【００５２】
また、下方の区画部分は「供給」設定／運転表示部分２０５であって、左側の供給動作設定表示部分２０６には、複数の吸収式冷凍機（ＮＯ．１〜ＮＯ．ｎ）１００のうちの「冷却運転モード」に設定されているもののみを選択して運転するか、「加温運転モード」に設定されているもののみを選択して運転するかを設定するための設定切換キー２０６Ａとその設定状態を表すＬＥＤ表示部分２０６Ｂとが配置してあり、また、中央の運転停止操作表示部分２０７には、左側の供給動作設定表示部分２０６に表示されている方の「運転モード」によって運転するか、停止するかを設定するための運転キー２０７Ａとその設定状態を表すＬＥＤ表示部分２０７Ｂとが配置してあり、右側の電源操作表示部分２０８には、遠隔制御操作器２００自体の電源のＯＮ−ＯＦＦの設定を行う電源キー２０８Ａとその設定状態を表すＬＥＤ表示部分２０８Ｂとを配置してある。
【００５３】
以下、図３の遠隔制御操作器２００のＣＰＵＢ８０Ａが行う制御処理を図５の制御処理フローによって説明する。この制御処理フローは、図４の電源キー２０８Ａによって電源をＯＮにしたときに開始し、ＯＦＦしたときに終了するように構成したものである。また、電源キー２０８Ａを操作したときに、各吸収式冷凍機（ＮＯ．１〜ＮＯ．ｎ）１００の電源をＯＮするように自動的に通信信号によって指令されるが、操作員が前以て各吸収式冷凍機（ＮＯ．１〜ＮＯ．ｎ）１００の全て、または、一部について、操作器７０を操作して電源をＯＮしてある場合もある。
【００５４】
〔制御処理フローの説明〕
◆ステップＳＰ１では、全ての吸収式冷凍機（ＮＯ．１〜ＮＯ．ｎ）１００のＣＰＵＢ８０Ａに対して作業用ＲＡＭ８３に記憶されている「冷却運転モード」か、「加温運転モード」か、いずれかの設定状態のデータと、「運転中」か、「停止中」か、いずれかの運転状態のデータとを、「通信データ」として送信するよう指令する通信信号を出力して、次のステップＳＰ２に移行する。
【００５５】
◆ステップＳＰ２では、全ての吸収式冷凍機（ＮＯ．１〜ＮＯ．ｎ）１００のＣＰＵＢ８０Ａから「通信データ」を取り込んで、次のステップＳＰ３に移行する。
【００５６】
◆ステップＳＰ３では、「通信データ」による情報にもとづいて、吸収式冷凍機（ＮＯ．１〜ＮＯ．ｎ）１００の各機番別の「設定状態」のデータを、図４の「機番別」設定／運転表示部分２０５のＬＥＤ表示部分２０４Ｂに表示する。図の状態では、吸収式冷凍機（ＮＯ．１）と吸収式冷凍機（ＮＯ．２）とが「冷却運転モード」に設定され、また、吸収式冷凍機（ＮＯ．３）と吸収式冷凍機（ＮＯ．ｎ）とが「加温運転モード」に設定されていることを表示している。
【００５７】
◆ステップＳＰ４では、「通信データ」による情報にもとづいて、吸収式冷凍機（ＮＯ．１〜ＮＯ．ｎ）１００の各機番別の運転状態のデータを、図４の「機番別」設定／運転表示部分２０５のＬＥＤ表示部分２０４Ｂに表示する。図の状態では、各吸収式冷凍機（ＮＯ．１〜ＮＯ．ｎ）１００は、いずれも、「停止中」になっていることを表示している。
【００５８】
上記のステップＳＰ１〜ステップＳＰ４によって、電源キー２０８Ａを操作して、電源をＯＮしたときには、吸収式冷凍機（ＮＯ．１〜ＮＯ．ｎ）１００の各ＣＰＵＢに設定されている「設定状態」と「運転状態」とを優先して表示するように構成してあることになる。
【００５９】
また、電源キー２０８を操作して電源を０Ｎしたときは、供給動作設定表示部分２０６における各表示は、ＬＥＤ表示部分２０６Ｂは「冷却運転モード」側が、また、ＬＥＤ表示部分２０７Ｂは「停止」側が、さらに、ＬＥＤ表示部分２０８Ｂは「ＯＮ」側が点灯されるように、遠隔制御操作器２００のＣＰＵＢ８０Ａにおる作業ＲＡＭ８３の記憶内容がリセットされるように制御処理される。
【００６０】
◆ステップＳＰ５では、設定切換キー２０４Ａ・２０６Ａと運転キー２０７Ａとのうちのいずれかを操作することによって、遠隔制御操作器２００のＣＰＵＢ８０Ａの作業ＲＡＭ８３に記憶されている「設定状態」と「運転状態」とに関する情報データを取り込んで、次のステップＳＰ６に移行する。
【００６１】
◆ステップＳＰ６では、取り込んだ情報データが、機番別設定切換データか否か、つまり、設定切換キー２０４Ａを操作して機番別の「冷却運転モード」または「加温運転モード」を変更するように入力されたデータであるか否かを判別する。機番別設定データであるときは次のステップＳＰ７に移行し、そうでないときは、ステップＳＰ８に移行する。
【００６２】
なお、ここで、機番別設定データは、例えば、機番ＮＯ．２の設定切換キー２０４Ａを操作して、現在の「冷却運転モード」から「加温運転モード」に切換を行うように入力したものとする。
【００６３】
◆ステップＳＰ７では、機番別設定切換データで指定された吸収式冷凍機、つまり、吸収式冷凍機（ＮＯ．２）１００のＣＰＵＢ８０Ａに対して、「加温運転モード」に切り換えるように指令する通信信号を出力して、次のステップＳＰ５に戻る。
【００６４】
この指令に対して、吸収式冷凍機（ＮＯ．２）１００のＣＰＵＢ８０Ａでは、「加温運転モード」に切り換えを行うとともに、切り換えを終えた旨の応答信号を送信し、この応答信号は、制御処理フローの循環によって、ステップＳＰ１０になったときに取り込まれる。
【００６５】
◆ステップＳＰ８では、取り込んだ情報データが、全体の吸収式冷凍機により熱操作対象負荷４００に供給する被熱操作流体、例えば、冷／温水３２ａを「冷却運転」で供給するか、「加温運転」で供給する、つまり、設定切換キー２０６Ａを操作して「冷却運転モード」に設定されている吸収式冷凍機１００、例えば、機番ＮＯ．１と機番ＮＯ．２とのみを選択して運転するか、「加温運転モード」に設定されている吸収式冷凍機１００、例えば、機番ＮＯ．３と機番ＮＯ．ｎ」とのみを選択して運転するかを変更するように入力された供給設定切換データであるか否かを判別する。切換設定切換データであるときは、次のステップＳＰ９に移行し、そうでないときは、ステップＳＰ１０に移行する。なお、ここで、現在の表示では「冷却」側に設定されているので、この供給設定切換データによって、遠隔制御操作器２００のＣＰＵＢ８０Ａにおる作業ＲＡＭ８３の記憶内容が、「加温運転モード」に設定されている吸収式冷凍機１００のみを選択して運転するように設定したデータに変更されることになる。
【００６６】
◆ステップＳＰ９では、ＬＥＤ表示部分２０６Ｂを、上記の供給設定切換データによって変更された運転モードの表示、つまり、「冷却」側が消灯して「加温」側が点灯する表示を行って、ステップＳＰ５に戻る。
【００６７】
◆ステップＳＰ１０では、全ての吸収式冷凍機（ＮＯ．１〜ＮＯ．ｎ）１００のＣＰＵＢ８０Ａからの「通信データ」を取り込んで、次のステップＳＰ１１に移行する。
【００６８】
◆ステップＳＰ１１では、取り込んだ通信データが、機番別設定状態に関する情報データか否か、つまり、先のステップＳＰ７で指令した指定機番の吸収式冷凍機１００のＣＰＵＢ８０Ａから応答による場合の「運転モード」の設定切換データ、または、任意の吸収式冷凍機１００のＣＰＵＢ８０Ａ側で操作器７０を操作して設定した場合の「運転モード」の設定切換データであるか否かを判別する。機番別設定データであるときは次のステップＳＰ１２に移行し、そうでないときは、ステップＳＰ１３に移行する。
【００６９】
なお、ここで、機番別設定データは、上記の応答による場合、上記の設定した場合、いずれであっても、同様に取り込んで次のステップＳＰ１２で表示するように制御処理する。
【００７０】
◆ステップＳＰ１２では、上記の機番別設定データ、つまり、「運転モード」の設定切換データによる変更された吸収式冷凍機１００の機番に相当する箇所のＬＥＤ表示部分２０４Ｂを、変更された運転モードの表示に変更する。
【００７１】
ここで、先のステップＳＰ７で指令した指定機番の吸収式冷凍機１００のＣＰＵＢ８０Ａから応答による場合は、機番ＮＯ．２の部分のＬＥＤ表示部分２０４Ｂにおける表示が、現在の「冷却」側が消灯して、「加温」側が点灯することになる。
【００７２】
◆ステップＳＰ１３では、取り込んだ通信データが、機番別運転状態に関する情報データか否か、つまり、任意の吸収式冷凍機１００のＣＰＵＢ８０Ａ側で操作器７０を操作して運転した場合の「運転中」の運転状態データであるか否かを判別する。機番別運転データであるときは次のステップＳＰ１４に移行し、そうでないときは、ステップＳＰ１５に移行する。
【００７３】
◆ステップＳＰ１４では、上記の機番運転定データ、つまり、「運転中」の運転状態データによる変更された吸収式冷凍機１００の機番に相当する箇所のＬＥＤ表示部分２０４Ｂを、変更された運転状態の表示に変更する。
【００７４】
なお、ここで、機番運転定データが、例えば、吸収式冷凍機（Ｎ０．２）１００が「運転中」になったデータとすると、機番ＮＯ．２の部分のＬＥＤ表示部分２０４Ｂにおける表示が、現在の「停止」側が消灯して、「運転」側が点灯することになる。
【００７５】
上記のステップＳＰ５〜ステップＳＰ１４によって、全ての吸収式冷凍機（ＮＯ．１〜ＮＯ．ｎ）１００における「運転モード」の設定状態と運転状態とが上方側の「機番別」設定／運転表示部分２０４で把握できるとともに、熱操作対象負荷４００に供給する被熱操作流体、つまり、冷／温水３２ａの供給種別、つまり、「冷却」または「加温」の種別が、下方側の「供給」設定／運転表示部分２０５で把握できることになる。
【００７６】
◆ステップＳＰ１５では、ステップＳＰ５と同様に、「設定状態」と「運転状態」とに関する情報データを取り込んで、次のステップＳＰ１６に移行する。
【００７７】
◆ステップＳＰ１６では、取り込んだ情報データが「運転」であるか否かを判別する。つまり、運転キー２０７Ａを操作して、「停止」側から「運転」側に切り換える設定操作を行った運転データであるか否かを判別する。「運転」側のデータであるときは次のステップＳＰ１７に移行し、そうでないときはステップＳＰ１８に移行する。そして、「運転」側のデータによって、ＬＥＤ表示部分２０７Ｂにおける表示を、現在の「停止」側を消灯して、「運転」側を点灯する。
【００７８】
◆ステップＳＰ１７では、供給設定状態表示部分２０６のＬＥＤ表示部分２０６Ｂに点灯表示されている「冷却」側、または、「加温」側の表示と同一の表示を行っている機番の吸収式冷凍機１００を、遠隔制御操作器２００のＣＰＵＢ８０Ａにおる作業ＲＡＭ８３の記憶内容にもとづいて選択し、選択した機番の吸収式冷凍機１００のＣＰＵＢ８０Ａに対して「運転」を開始するように指令する通信信号を出力してステップＳＰ５に戻る。
【００７９】
ここで、図４の状態では、供給設定状態表示部分２０６のＬＥＤ表示部分２０６Ｂは「冷却」側になっているので、「機番別」設定／運転表示部分２０４のＬＥＤ表示部分２０４Ｂの表示が「冷却」側になっている機番ＮＯ．１と機番Ｎ０．２に相当する各吸収式冷凍機（ＮＯ．１・Ｎ０．２）１００の各ＣＰＵＢ８０Ａに対して「運転」を開始する指令が通信信号によって送られることになる。
【００８０】
この指令に対して、吸収式冷凍機（ＮＯ．１・Ｎ０．２）のＣＰＵＢ８０Ａでは、装置の運転状態を「停止」から「運転」に切り換えを行うとともに、「運転中」になった旨の応答信号を送信し、この応答信号は、制御処理フローの循環によって、ステップＳＰ１０になったときに取り込まれ、ステップＳＰ１３・ステップＳＰ１４によって、機番ＮＯ．１と機番Ｎ０．２に相当するＬＥＤ表示部分２０４Ｂの表示を、現在の「停止」側を消灯して、「運転」側を点灯する。
【００８１】
◆ステップＳＰ１８では、取り込んだ情報データが「停止」であるか否かを判別する。つまり、運転キー２０７Ａを操作して、「運転」側から「停止」側に切り換える設定操作を行った運転データであるか否かを判別する。「停止」側のデータであるときは次のステップＳＰ１９に移行し、そうでないときはステップＳＰ５に戻る。そして、「停止」側のデータによって、ＬＥＤ表示部分２０７Ｂにおける表示を、現在の「運転」側を消灯して、「停止」側を点灯する。
【００８２】
◆ステップＳＰ１９では、全ての吸収式冷凍機（ＮＯ．１〜ＮＯ．ｎ）１００のＣＰＵＢ８０Ａに対して、運転状態を「運転」から「停止」に切り換えるように指令する通信信号を出力して、ステップＳＰ５に戻る。
【００８３】
この指令に対して、「運転中」の機番の吸収式冷凍機１００、例えば、吸収式冷凍機（ＮＯ．１・Ｎ０．２）のＣＰＵＢ８０Ａでは、装置の運転状態を「運転」から「停止」に切り換えを行うとともに、「停止中」になった旨の応答信号を送信し、この応答信号は、制御処理フローの循環によって、ステップＳＰ１０になったときに取り込まれ、ステップＳＰ１３・ステップＳＰ１４によって、機番ＮＯ．１と機番Ｎ０．２に相当するＬＥＤ表示部分２０４Ｂの表示を、現在の「運転」側を消灯して、「停止」側を点灯する。
【００８４】
なお、上記の「停止」に切り換える指令は、「運転中」の機番の吸収式冷凍機１００、例えば、吸収式冷凍機（ＮＯ．１・Ｎ０．２）のＣＰＵＢ８０Ａのみに対して通信信号を出力するように構成してもよい。
【００８５】
そして、その後は、ステップＳＰ５〜ステップＳＰ１９の間のフローによる制御処理を行っており、電源キー２０８Ａの操作によって電源がＯＦＦされたときに、終了に移行するように構成したものである。
【００８６】
この終了をおこなっても、各吸収式冷凍機（ＮＯ．１〜ＮＯ．ｎ）１００におけるＣＰＵＢ８０Ａの作業ＲＡＭ８３には、終了した時点における「冷却運転」または「加温運転」のデータが保持されているので、次回に電源をＯＮにして開始した場合には、前回の終了時点での各吸収式冷凍機（ＮＯ．１〜ＮＯ．ｎ）１００における「冷却運転」状態のものと、「加温運転」状態のものとが、そのまま、「機種別」設定／運転表示部分２０４のＬＥＤ表示部分２０４Ｂに表示されることになるので、次回も同様の運転を行うのであれば、そのまま、運転キー２０８Ａを操作するだけでよいことになる。
【００８７】
上記のステップＳＰ１５〜ステップＳＰ１９によって、熱操作対象負荷４００に対して供給する熱操作流体、例えば、冷／温水３２ａを「冷却」または「加温」のいずれかに選択して供給する制御処理を行うとともに、その供給状態と各吸収式冷温水１００の運転状態と停止状態とを統括して把握することができる。
【００８８】
そして、例えば、初夏または初冬などの端境期では、予め吸収式冷凍機（ＮＯ．１〜ＮＯ．ｎ）のうちの一部の数のものを、例えば、図４のように、半数の機番ＮＯ．１と機番ＮＯ．２とを「冷却」側に設定しておき、残りの半数のものを「加温」側に設定しておくことにより、供給動作設定表示部分２０６の設定切換キー２０６Ａを「冷却」側か、「加温」側かに選択する設定操作と、運転キー２０７Ａを操作するのみの簡単な操作で、熱操作対象負荷４００に対する熱操作流体、例えば、冷／温水３２ａの供給を、中くらいの熱操作量の「冷却」または「加温」に短時間で切り換えて供給することができるので、操作員にとって、こうした端境期での運転操作が至極便利である。
【００８９】
〔実施例の構成の要約〕
上記の実施例の構成を要約すると、
吸収液及び冷媒を循環して被熱操作流体、例えば、冷／温水３２ａを冷却または加温する複数の吸収式冷凍機１００、例えば、吸収式冷凍機（ＮＯ．１〜ＮＯ．ｎ）１００を一群として、各上記の吸収式冷凍機１００からの被熱操作流体３２ａを共通の管路３６Ａ・３７Ａを介して所要の熱操作対象負荷４００に供給するとともに、上記の冷却のための冷却運転と上記の加温のための加温運転との選択を各上記の吸収式冷凍機１００とは別体にして設けた１つの遠隔制御操作器２００によって統括的に行う構成をもつ吸収式冷凍機群装置５００において、
【００９０】
上記の一群の吸収式冷凍機（例えば、機番ＮＯ．１〜ＮＯ.ｎの吸収式冷凍機）のうちの所要の上記の吸収式冷凍機の運転モードを、他の上記の吸収式冷凍機の運転モードの設定状態とは無関係に、冷却運転モードまたは加温運転モードのいずれかになるように設定（例えば、図４のように、機番ＮＯ．１・ＮＯ．２の吸収式冷凍機を冷却運転モードとし、機番ＮＯ．３・ＮＯ．ｎの吸収式冷凍機を加温運転モードとするように設定）するための設定機能（例えば、図４の「機番別」設定／運転表示部分２０４の設定切換キー２０４Ａによる設定機能）と、
上記の冷却運転モードに設定された上記の吸収式冷凍機のみ（例えば、図４のように、冷却運転モードに設定された機番ＮＯ．１・ＮＯ．２の吸収式冷凍機のみ）を選択して運転する運転動作と、上記の加温運転モードに設定された上記の吸収式冷凍機のみ（例えば、図４のように、加温運転モードに設定された機番ＮＯ．３・ＮＯ．ｎの吸収式冷凍機のみ）を選択して運転する運転動作とのうちのいずれかを選択して、上記の被熱操作流体の供給を行うように設定するための設定機能（例えば、図４の「供給」設定運転表示部分２０５の設定切換キー２０６Ａによる設定機能）とを遠隔制御器２００に設けた上記の第１の構成を構成していることになるものである。
【００９１】
また、上記の第１の構成における吸収式冷凍機群装置５００に、さらに、上記の選択、つまり、冷却運転と加温運転とのいずれか一方を選択する選択を、各上記の吸収式冷凍機１００自体に設けた各個別制御操作器、例えば、操作器７０によって個別に行う構成を付加した吸収式冷凍機群装置５００において、
【００９２】
上記の一群の吸収式冷凍機（例えば、機番ＮＯ．１〜ＮＯ.ｎの吸収式冷凍機）のうちの所要の上記の吸収式冷凍機の運転モードを、他の上記の吸収式冷凍機の運転モードの設定状態とは無関係に、冷却運転モードまたは加温運転モードのいずれかになるように設定（例えば、図４のように、機番ＮＯ．１・ＮＯ．２の吸収式冷凍機を冷却運転モードとし、機番ＮＯ．３・ＮＯ．ｎの吸収式冷凍機を加温運転モードとするように設定）するための設定機能（例えば、図４の「機番別」設定／運転表示部分２０４の設定切換キー２０４Ａによる設定機能）と、
上記の冷却運転モードに設定された上記の吸収式冷凍機のみ（例えば、図４のように、冷却運転モードに設定された機番ＮＯ．１・ＮＯ．２の吸収式冷凍機のみ）を選択して運転する運転動作と、上記の加温運転モードに設定された上記の吸収式冷凍機のみ（例えば、図４のように、加温運転モードに設定された機番ＮＯ．３・ＮＯ．ｎの吸収式冷凍機のみ）を選択して運転する運転動作とのうちのいずれかを選択して、上記の被熱操作流体の供給を行うように設定するための設定機能（例えば、図４の「供給」設定運転表示部分２０５の設定切換キー２０６Ａによる設定機能）とを遠隔制御器２００に設けた上記の第２の構成を構成していることになるものである。
【００９３】
さらに、上記の第１の構成または上記の第２の構成に加えて、
上記の運転モードの設定によって設定された各吸収式冷凍機の冷却運転モードと加温モードとの設定状態（例えば、図４のように、機番ＮＯ．１・ＮＯ．２の吸収式冷凍機を冷却運転モードに、機番ＮＯ．３・ＮＯ．ｎの吸収式冷凍機を加温運転モードに設定した状態）を表示するための表示機能（例えば、図４の「機番別」設定／運転表示部分２０４の各ＬＥＤ表示部分２０４Ｂによる表示機能）と、上記の選択により設定された供給状態（例えば、図４のように、「冷却」で供給している状態）を表示するための表示機能（例えば、図４の「供給」設定運転表示部分２０５のＬＥＤ表示部分２０６Ｂによる表示機能）とを遠隔制御器２００に設けた上記の第３の構成を構成していることになるものである。
【００９４】
〔変形実施〕
この発明は次のように変形して実施するを含むものである。
【００９５】
（１）吸収式冷凍機１００を図６の構成とは異なる吸収式冷凍機、例えば、アンモニアを吸収液として用いた吸収式冷凍機に変更して構成する。
【００９６】
（２）遠隔制御操作器２００における表示をＬＥＤによる表示とは異なる表示、例えば、液晶表示器に変更して構成する。
【００９７】
（３）遠隔制御操作器２００における設定切換キー２０４Ａ・設定切換キー２０６Ａ・運転キー２０７Ａなどを１箇所に集めて操作キーパネル部分として配置し、これらに付随する各表示部分を１箇所に集めてよる表示パネル部分として配置するように変更して構成する。
【００９８】
（４）制御処理フローの終了時点における各吸収式冷凍機（ＮＯ．１〜ＮＯ．ｎ）１００の「冷却運転」状態または「加温運転」状態の記憶を、遠隔制御操作器２００におけるＣＰＵＢ８０Ａの作業ＲＡＭ８３に記憶しておき、この記憶内容を、制御処理フローのステップＳＰ１〜ステップＳＰ４に代えて、表示するように変更して構成する。
【００９９】
【発明の効果】
この発明によれば、以上のように、複数の吸収式冷凍機に対する「冷却運転モード」または「加温運転モード」の設定操作を１つの遠隔制御操作器上で操作できるので、複数の吸収式冷凍機の制御部に、その都度に、「冷却」または「加温」の変更操作を行う面倒がなくなるので、操作員にとって至極便利である。
【０１００】
また、例えば、図４のように、半数の吸収式冷凍機を「冷却運転モード」に残りの吸収式冷凍機を「加温運転モード」に設定しておくなどにより、熱操作対象負荷の状態や四季の時候に合わせて予め予測して設定しておくだけで、「冷却」側にするか、「加温」側にするかの選択を行えば、所要の熱操作能力に見合った被熱操作流体、例えば、冷／温水を供給し得るので、毎日、その都度に操作員が複数の吸収式冷凍機に対する設定操作を行わずに済むように至極便利な吸収式冷凍機群装置を提供することができる。
【０１０１】
さらに、複数の吸収式冷凍機に各「運転モード」を統括して表示しており、全体的にみた運転を「加温運転」から「冷却運転」に変更する際に、「冷却運転モード」に設定されている吸収式冷凍機のみを選択して直ちに運転できるので、放熱装置５０を破損させたり、加温された状態の冷却用水３２ａが所要の温度に低下するまで待った後でないと冷却運転できないような不便さを解消し、変更を短時間で行うことを可能にした吸収式冷凍機群装置を提供することができるなどの特長がある。
【図面の簡単な説明】
図１〜図５はこの発明の実施例を、また、図６は従来技術を示し、各図の内容は次のとおりである。
【図１】全体ブロック構成略図
【図２】要部ブロック構成図
【図３】要部ブロック構成図
【図４】要部操作パネルの正面図
【図５】制御処理フローチャート
【図６】要部ブロック構成図
【符号の説明】
１  吸収器
１Ａ  散布器
１Ｂ  冷却管
２ａ  稀液
２ｂ  中間液
２ｃ  濃度
３  管路
５  高温再生器
６  加熱器
６Ａ  加熱調整器
７ａ  冷媒蒸気
７ｂ  冷媒蒸気
７ｃ  冷媒蒸気
８  管路
９  熱交換器
１０  管路
１１  低温再生器
１１Ａ  放熱管
１１Ｂ  通路
１２  管路
１３  熱交換器
１４  管路
２１  管路
２２  管路
２３  凝縮器
２３Ａ  冷却管
２４ａ  冷媒液
２４ｂ  冷媒液
２５  管路
２６  蒸発器
２６Ａ  散布器
２６Ｂ  冷却管
２７  ポンプ
２８  管路
３１  管路
３２ａ  冷却用水
３２ｂ  冷却戻水
３３  管路
３４  管路
３５ａ  冷／温戻水
３５ｂ  冷／温水
３６  管路
３７  管路
４１  管路
４３  管路
５０  放熱装置
５１  放熱冷却部
５２  送風機
５３  散布器
５４  熱交換管
５７  水道水
５８  浮子弁
５９  貯留槽
５９Ａ  貯留水
６１  管路
６２  溢水受
６３  管路
６４  管路
６５  排水
６６  管路
６８  逆止弁
７０  個別操作器
７５  表示部
８０  制御部
８０Ａ  ＣＰＵＢ
８１  入出力ポート
８２  処理ＲＯＭ
８３  作業ＲＡＭ
８４  データ用ＲＯＭ
８５  計時回路
１００  吸収式冷凍機
２００  遠隔制御操作器
２０２  入力操作部
２０３  表示部
２０４  「機番別」設定／運転表示部分
２０４Ａ  設定切換キー
２０４Ｂ  ＬＥＤ表示部分
２０５  「供給」設定／運転表示部分
２０６  供給動作設定表示部分
２０６Ａ  設定切換キー
２０６Ｂ  ＬＥＤ表示部分
２０７  運転停止操作表示部分
２０７Ａ  運転キー
２０７Ｂ  ＬＥＤ表示部分
２０８  電源操作表示部分
２０８Ａ  電源キー
２０８Ｂ  ＬＥＤ表示部分
３００  通信路
４００  熱操作対象負荷
Ｐ１  ポンプ
Ｐ２  ポンプ
Ｐ３  ポンプ
Ｓ１  温度検出器
Ｓ２  温度検出器
Ｓ３  温度検出器
Ｓ４  温度検出器
Ｖ１  開閉弁
Ｖ２  開閉弁
Ｖ６  開閉弁
【図１】
0003831436.tif 000002
【図２】
0003831436.tif 000003
【図３】
0003831436.tif 000004
【図４】
0003831436.tif 000005
【図５】
0003831436.tif 000006
【図６】
0003831436.tif 000007